(57)【要約】【課題】本発明の課題は、空気の移動圧（風圧）による影響を低減することで破壊を回避する中で、雪粒又は雨粒が通過することなく一面側に捕獲され、傾斜した面に沿って滑落し、保護対象のある側には、雪や雨が集積しない雪粒・雨粒の通過阻止具を提供することである。【解決手段】本発明の雪粒・雨粒の通過阻止具は、空気を通過させるが、降ってくる雪粒・雨粒を通さないで捕獲するために、雪粒・雨粒より小さい表裏を貫通する開口部とそれを取り巻き、雪粒・雨粒を滑落させ、阻止具を構成する素材部を有している。【選択図】図１
2013104188.tif 000002
【特許請求の範囲】
【請求項１】
雪粒又は雨粒が傾斜した面に沿って滑落し、保護対象のある側には、雪や雨が集積しないように傾斜して付設されるものであって、空気を通過させるが、降ってくる前記雪粒又は雨粒を通さないで捕獲するために、雪粒又は雨粒より小さい大きさの表裏を貫通する開口部とそれを取り巻き、雪粒又は雨粒を滑落させる素材部を有することを特徴とする雪粒又は雨粒通過阻止具。
【請求項２】
前記素材部に雪粒又は雨粒を滑落させるように水を滑らせる滑水性、又は水をはじく撥水性を備えたことを特徴とする請求項１に記載の雪粒又は雨粒通過阻止具。
【請求項３】
前記素材部の裏面には撥水性を、表面には滑水性を備えることで、裏面への雪粒又は雨粒の回り込みを低減したことを特徴とする請求項２記載の雪粒又は雨粒通過阻止具。
【請求項４】
前記開口部と前記素材部の関係は、空気の通過穴を有する前記素材部によるシート又は空気の通過穴が備わった前記素材部による網の関係にあることを特徴とする請求項１から請求項３のいずれか一つに記載の雪粒又は雨粒通過阻止具。記載の雪粒又は雨粒通過阻止具。
【請求項５】
前記素材部が受ける風圧による前記素材部の受ける力を緩和するために、前記素材部に複数の面積に分割して前記素材部の裏面に補強部を設けたことを特徴とする請求項１から請求項４のいずれか一つに記載の雪粒又は雨粒通過阻止具。
【請求項６】
前記素材部の端、又は及び、所望の位置に他の支持体に取り付けるための結節補助具を備えたことを特徴とする請求項１から請求項５のいずれか一つに記載の雪粒又は雨粒通過阻止具。
【発明の詳細な説明】
【技術分野】
【０００１】
本発明は、カバーすべき対象とその周囲の空間との間に介在させ、且つ水平に対して傾斜させて付設され、降雪または降雨の通過を阻止して、対象のある側とは反対側に降雪または降雨を落とし、風（空気）は通過させる雪粒又は雨粒の通過阻止具に関するものである。
【背景技術】
【０００２】
降雪又は降雨による被害には、多くの例が知られている。
例えば、雪害では、道路への積雪による交通障害、雪崩、積雪による農作物の被害、太陽電池への積雪による発電量の低下など例に限りが無い。同様に降雨による被害では、水害、豪雨による交通麻痺、農作物被害などがあげられる。
雪も雨も降ってくる個々の粒は小さく対策も小規模でよいが、積雪、或いは雨による水溜りのように集団塊となると、質量も巨大になり大きな被害をもたらすとともに対策も大規模になってくる。
従来、集団塊に対する対策の提案は多く見られるが、個々の粒、或いは降雪中、降雨中に対する提案は極めて少ない。これは、ほとんど１００％の被害が、集団塊になってから起こるものであり、しかも、被害が集団塊の局在するところに起こり、且つ、まとまっているので対処しやすい。
然しながら、粒や降雪、又は降雨中では被害に至らないこと、降雪や降雨は広域におこり、場所の特定がし難い。従って、一般の被害は、粒や降雪、又は降雨中では対処ができない例が多いのが実情である。
多くの例がある集団塊に対する従来例を挙げると、例えば雨では、貯水ダム、堤防、土嚢積み、道路シェルタなどが挙げられる。雪では、除雪、雪崩柵、雪シュルタなどが挙げられる。更に雪や雨にこだわらないで集団塊に対する対策例を挙げると、土砂や岩に対しては、コンクリートで固める、防護網、防護柵などがよく見かけることができる。これは、落下しないようにこれらの対策物でとどめておくものである。このような提案例として、特許文献１の提案を示すことができる。
これらの集団塊に対する全ての対策は、局所的で対処しやすいが、質量が膨大になるので、規模の大きい強固な対策が必須になっているのが特徴である。
これに対して、降雪中、降雨中に対応する提案では、勾配を急にした園芸ハウスの屋根、急傾斜勾配で設置された太陽電池の面などが挙げられるが、集団塊に対する対策にもなるし、雪粒又は雨粒への対策にもなりえる例である。屋根は施設の一部としてつくられるので、構造から規模が大きくならざるを得ない。太陽電池では設置角度の勾配と発電効率の妥協を図らなければならない。
【０００３】
以上のように一般に局所的な対応するものは、集団塊を扱うので大規模になるが、屋根の例のように集団塊でなくとも規模が大きくなり、コスト高になることがあるが、局所的な対応でも規模を小さくすることは可能であり、極力、雪粒又は雨粒などや降雪中、降雨中にその場で対処するのが合理的である。対策として扱う対象の質量が小さいので、対策に要する規模が小さくてよく、設備や運用コストが小さくてよいからである。
このような観点で、降雪中、降雨中に保護対象とこれを囲む空間の間に介在され、降雪又は降雨中の雪粒または雨が介在物の面に沿って面の片面を滑落するように水平面とは傾斜して設置され、介在物の面の裏側（保護対象のある側）への落下を低減し、面の両側間では空気の通過移動が可能であることで、破壊に対する空気による風圧の影響を低減した雪粒又は雨粒の通過阻止具は提案されていない。
【先行技術文献】
【特許文献】
【０００４】
【特許文献１】特開２００３−２６１９１０
【発明の概要】
【発明が解決しようとする課題】
【０００５】
本発明の課題は、空気の移動圧（風圧）による影響を低減することで破壊を回避する中で、雪粒又は雨粒が通過することなく一面側に捕獲され、傾斜した面に沿って滑落し、保護対象のある側には、雪や雨が集積しない雪粒又は雨粒の通過阻止具を提供することである。
【課題を解決するための手段】
【０００６】
本発明の雪粒又は雨粒の通過阻止具は、空気を通過させるが、降ってくる雪粒又は雨粒を通さないで捕獲するために、雪粒又は雨粒より小さい表裏を貫通する開口部とそれを取り巻き、雪粒又は雨粒を滑落させ、阻止具を構成する素材部を有していることを特徴とする。
【０００７】
請求項１記載の発明は、雪粒又は雨粒通過阻止具であって、雪粒又は雨粒が傾斜した面に沿って滑落し、保護対象のある側には、雪や雨が集積しないように傾斜して付設されるものであって、空気を通過させるが、降ってくる前記雪粒又は雨粒を通さないで捕獲するために、雪粒又は雨粒より小さい大きさの表裏を貫通する開口部とそれを取り巻き、雪粒又は雨粒を滑落させる素材部を有することを特徴とする。
【０００８】
請求項２記載の発明は、請求項１に記載の雪粒又は雨粒通過阻止具において、前記素材部に雪粒又は雨粒を滑落させるように水を滑らせる滑水性、又は水をはじく撥水性を備えたことを特徴とする。
【０００９】
請求項３記載の発明は、請求項２記載の雪粒又は雨粒通過阻止具において、前記素材部の裏面には撥水性を、表面には滑水性を備えることで、裏面への雪粒又は雨粒の回り込みを低減したことを特徴とする。
【００１０】
請求項４記載の発明は、請求項１から請求項３のいずれか一つに記載の雪粒又は雨粒通過阻止具において、前記開口部と前記素材部の関係は、空気の通過穴を有する前記素材部によるシート又は空気の通過穴が備わった前記素材部による網の関係にあることを特徴とする。
【００１１】
請求項５記載の発明は、請求項１から請求項４のいずれか一つに記載の雪粒又は雨粒通過阻止具において、前記素材部が受ける風圧による前記素材部の受ける力を緩和するために、前記素材部に複数の面積に分割して前記素材部の裏面に補強部を設けたことを特徴とする。
【００１２】
請求項６記載の発明は、請求項１から請求項５のいずれか一つに記載の雪粒又は雨粒通過阻止具において、前記素材部の端、又は及び、所望の位置に他の支持体に取り付けるための結節補助具を備えたことを特徴とする。
【発明の効果】
【００１３】
以上の様に構成されているので、本発明の雪粒又は雨粒の通過阻止具は、降雪中、降雨中の空間を降りてくる雪粒又は雨粒を捕獲し、保護対象のある側には集積しないようにするが、設備規模や運用コスが通常の対策に比べて極めて小さくできる点にある。
【図面の簡単な説明】
【００１４】
【図１】本発明による雪粒又は雨粒の通過阻止具の一実施態様を示す図である。
【図２】本発明による雪粒又は雨粒の通過阻止具の使用例を示す図である。
【図３】本発明による雪粒又は雨粒の通過阻止具の使用例の断面を示す図である。
【図４】本発明による雪粒又は雨粒の通過阻止具にかかる風圧と素材部の強度を吟味した数値を表示する図である。
【発明を実施するための形態】
【００１５】
本発明による空気を通過させるが、降ってくる雪粒又は雨粒を通さないで捕獲するために、雪粒又は雨粒より小さく表裏を貫通する開口部とそれを取り巻き、雪粒又は雨粒を滑落させ、阻止具を構成する素材部を有している。
以下、実施例で説明する。
【００１６】
図１は、本発明による雪粒又は雨粒の通過阻止具の一実施態様を示す図である。
雪粒又は雨粒の通過阻止具１００は、雪粒又は雨粒より小さく表裏を貫通する開口部とそれを取り巻き、雪粒又は雨粒を滑落させ、阻止具を構成する素材部を有している。開口部は、空気を通過させるので、風は吹く抜けることができ、その結果風圧を低減することができて、通過阻止具の破壊が回避できる。開口部の大きさは、対応する雪粒又は雨粒の大きさを考慮して決められる。雪粒の大きさ（粒径）は、積雪の国際分類に従うと０．２ｍｍ、０．５ｍｍ、１．０ｍｍ、２．０ｍｍ、５．０ｍｍに分けられている。これに従って、開口部の径は、最大でも５．０ｍｍ、好ましくは、２．０ｍｍ、更に好ましくは１．０ｍｍに設定することができる。又、雨粒の大きさ（粒径）は、０．１ｍｍから最大でも７．０ｍｍであり、ほとんどは、５．０ｍｍ以下であり、１．０ｍｍが標準値であるので、開口部の径は、雪の場合と同じでも差し支えない。
【００１７】
本阻止具の受ける風圧と素材部の引張強度を検討する。図４は、本発明による雪粒又は雨粒の通過阻止具にかかる風圧と素材部の強度を吟味した数値を表示する図である。
風圧Ｑ（Ｎ／ｍ２）＝ρＶ２×Ｃ÷２と与えられる。
ここで、ρ：空気の密度１．２３ｋｇ／ｍ３
Ｖ：風速  台風時を想定して、４０ｍ／ｓとする。
Ｃ：風力係数  １．０とする。
従って、風圧Ｑ＝９８４（Ｎ／ｍ２）
本阻止具を縦の辺長Ｘ、横の辺長Ｙを想定すると、
面積Ｘ・Ｙの本阻止具が受ける風による力は、９８４Ｘ・Ｙである。
開口部は風圧を受けないので、風圧を受ける素材部の面積率ｒとすると、実際に受ける風圧による力は、９８４Ｘ・Ｙ・ｒとなる。
長さＬ間隔で網が作られているとすると、縦と横の辺にある網線の数は、
２・（Ｘ＋Ｙ）÷Ｌである。
風の力は、阻止具の面に直角であり、風圧で押されて、曲がり、その傾斜角の成分が網線を引くので、網線を引くのはこの力より小さくなるが、余裕を取るためこの値をそのまま使用する。力が均等に網線に分散して均等に掛かるとして、網線１本当たりが受ける力ｆは、力を網線の数で割って、
ｆ＝９８４Ｘ・Ｙ・ｒ÷｛２・（Ｘ＋Ｙ）÷Ｌ｝＝４９２・ｒ・Ｌ／｛１／Ｘ＋１／Ｙ｝
ｆ＝Ｋ・r      Ｋ＝４９２・Ｌ／｛１／Ｘ＋１／Ｙ｝
これに対して、Ｌとして、｛０．５、１．０、２．０、５．０（×１０−３ｍ）｝、
Ｘ、Ｙ｛１．０、２．０、３．０、５．０、１０．０、２０．０（ｍ）｝を入れて、Ｋの値を求めると、表２のようになる。ｒは、１より小さい値であるが、実際のｆは、Ｋより小さくなるが、Ｋの値がそのまま１本の網線に掛かると見る。
各種の素材の引張強度（単位Ｎ）を図４の４−Ａに示す。両者を比較すると、素材の強度は、必要となる風圧による力に十分耐えられることが分かり、開口部と素材部の面積的割合は、あまり気にする必要も無く構成が可能であることが分かる。その他の素材もほぼ同様である。
余裕を取って、図４の４−Ｂの値の１／３の値を採用すると、この条件に合わないのは下線を引いた３条件のみで、他は十分条件に合うことが分かる。
【００１８】
素材部は、取り扱いが容易なように畳む、巻くことができるものが都合がよい。軽く丈夫なシート又は糸又は紐又は線のような素材が適している。シートでは、これに多数の開口部が分布して設けれ、糸又は紐又は線では、ネットに編みこまれることで開口部が備えられている。シート又はネットの素材部の材料としては、金属でもよいが、樹脂特にポリエステル樹脂、ポリエチレン樹脂、ポリプロピレン樹脂、ナイロン樹脂、テフロン樹脂のほか炭素繊維なども利用できる。
【００１９】
素材部には、雪粒又は雨粒の付着を防止し、滑落を容易にするため撥水性又は滑水性を備えると好都合となる。備えるには、糸又は紐又は線自体にその機能をするものを使用しても良いし、編みこみ後に、塗布などによりコーティングしてもよい。
特に、素材部の裏面には撥水性を、表面には滑水性を備えることは、開口部を介した裏面への雪粒又は雨粒の回り込みの低減に効果がある。
撥水性又は滑水性も材料としては、フッ素系の樹脂や、シリコン系の樹脂が知られているが、特許文献である特願２００１−７８２３３、特開平１０−３１６８２０、特開平１０−３１０７４０、特開平１０−２３７４３１、特開平６−２６４０５１、特開平８−１５７６４３、特開平５−２３９３８１、特開平１１−２９７２２、特開２０００−２３００６０など多くの文献で提案があり使用することが可能である。
【００２０】
１−Ａにおいて、本発明による雪粒又は雨粒の通過阻止具は、使用時には、傾斜を持って張設されるが、張設のために鳩目、紐、フック、カラナビなど他の固定物へ結びつけるための結節補助具１０１を備える好都合である。１−Ｂには、通過阻止具１００のシート又はネットの部分を拡大して示している。上の２個は網状であり、下の２個は開口部としての穴が多数開いているものを示している。通過阻止具１００は、風圧に対して強化する目的で通過阻止具の面上に適当な間隔で補強部を設けてもよい。補強部は、通過阻止具１００の素材部よりも強い素材や太さを太くして強くするなどし、例えば、通過阻止具１００の裏面に備えるか、通過阻止具１００とは別体にして、使用時に通過阻止具１００に当てて使用することもできる。１−Ｃには、別体になった枠状の補強部を示している。１−Ｄには、通過阻止具１００に補強部を当てた使用状態を示している。
【００２１】
図２は、本発明による雪粒又は雨粒の通過阻止具の使用例を示す図である。
１−Ａには、雪粒又は雨粒の通過阻止具を山形（逆Ｖ字）の枠に取り付けた例を示す。雪粒又は雨粒２０１が雪粒又は雨粒の通過阻止具１００の表面に降りて、表面を滑落し一方側の下に滑落し、雪の場合は、下に堆積した雪塊２０２を形成した状態を示している。１−Ｂでは、柱２０３に適当な結節補助具１０１により一面側に張り付けた例を示す。１−Ｃでは、柱２０３に山形に２面側に張り付けた例を示す。山形の頂部が開く場合や積雪を防止する場合は、１−Ｄのように先が突起状になったカバー２０４をかぶせてもよい。１−Ｅは１−Ｄの矢印方向から見た断面を示す。
【００２２】
図３は、本発明による雪粒又は雨粒の通過阻止具の使用例の断面を示す図である。
図２の１−Ａにおいて矢印の方向から見た断面となっている。
この例は、雪粒又は雨粒の通過阻止具１００で覆われた内部に農作物３０１がある例であり、３−Ｂでは、太陽電池３０２がある例である。農作物３０１や、太陽電池３０２などのほか沢山の保護対象物が収容できることは当然である。収容空間には、雪粒又は雨粒ははいらないか、又はその量が低減される。
【産業上の利用可能性】
【００２３】
以上のように本発明に係る雪粒又は雨粒の通過阻止具は、簡単な構成でありながら、雪粒又は雨粒を滑落させる傾斜角を持って簡単に設置することで、雪または雨による被害を減少させることが可能となるので、産業上利用性が極めて大きい。
【符号の説明】
【００２４】
１００  雪粒又は雨粒の通過阻止具
１０１  結節補助具
２０１  雪粒又は雨粒
２０２  雪塊
２０３  柱
２０４  カバー
３０１  農作物
３０２  太陽電池
【図１】
2013104188.tif 000003
【図２】
2013104188.tif 000004
【図３】
2013104188.tif 000005
【図４】
2013104188.tif 000006